(57)【要約】【課題】混色を抑えて表示することができる画像表示媒体の駆動装置及び画像表示装置を提供することを目的とする。【解決手段】画像表示装置１０は、画像表示媒体１２の、複数種類の着色粒子３２Ｃ、３２Ｙ、３２Ｍのうち少なくとも２種類の着色粒子が表示基板１８及び背面基板２８の一方の基板に積層されている場合に、当該少なくとも２種類の着色粒子のうち他方の基板側へ移動開始する閾値電圧の絶対値が最も高い着色粒子以外の着色粒子を往復運動させるための交番電圧を、表示基板１８と背面基板２８との間に印加してから、他方の基板側に移動させるべき着色粒子を他方の基板側に移動させるための表示駆動電圧を、表示基板１８と背面基板２８との間に印加する電圧印加部４０を備える。【選択図】図１
2010181477.tif 000002
【特許請求の範囲】
【請求項１】
少なくとも一方が透光性を有する一対の基板と、前記一対の記基板間に封入された液体と、前記一対の基板間に形成された電界に応じて移動するように前記一対の基板間に封入された帯電極性が同極性であると共に色及び閾値電圧特性が異なる複数種類の粒子群と、を備えた画像表示媒体の、前記複数種類の粒子群のうち少なくとも２種類の粒子群が前記一対の基板の一方の基板に積層されている場合に、当該少なくとも２種類の粒子群のうち他方の基板側へ移動開始する閾値電圧の絶対値が最も高い粒子群以外の粒子群を往復運動させるための交番電圧を、前記一対の基板間に印加する第１の電圧印加手段と、
前記他方の基板側に移動させるべき粒子群を前記他方の基板側に移動させるための表示駆動電圧を、前記一対の基板間に印加する第２の電圧印加手段と、
を備えた画像表示媒体の駆動装置。
【請求項２】
前記第１の電圧印加手段は、前記複数種類の粒子群のうち同極性に帯電された少なくとも２種類の粒子群が前記一方の基板に積層されている状態から、一部の種類の粒子群を前記他方の基板側に移動させる場合にのみ、前記一部の種類の粒子群を移動させるための交番電圧を前記一対の基板間に印加する
請求項１記載の画像表示媒体の駆動装置。
【請求項３】
前記第１の電圧印加手段は、前記他方の基板側に残る粒子群が２種類以上の粒子群から成る場合、前記閾値電圧の絶対値が最も高い閾値電圧を除いて閾値電圧が高い順に、前記交番電圧を前記一対の基板間に印加する
請求項２記載の画像表示媒体の駆動装置。
【請求項４】
前記交番電圧のパルス幅が、前記表示駆動電圧のパルス幅よりも小さい
請求項１〜３の何れか１項に記載の画像表示媒体の駆動装置。
【請求項５】
前記交番電圧のうち前記他方の基板側へ一旦移動した粒子群を前記一方の基板側へ戻すためのパルス電圧のパルス幅が、前記交番電圧のうち前記一方の基板側から前記他方の基板側へ前記粒子群を移動させるためのパルス電圧のパルス幅よりも大きい
請求項１〜４の何れか１項に記載の画像表示媒体の駆動装置。
【請求項６】
前記交番電圧のうち前記他方の基板側へ一旦移動した粒子群を前記一方の基板側へ戻すためのパルス電圧の絶対値が、前記交番電圧のうち前記一方の基板側から前記他方の基板側へ前記粒子群を移動させるためのパルス電圧の絶対値よりも大きい
請求項１〜５の何れか１項に記載の画像表示媒体の駆動装置。
【請求項７】
前記液体は、前記複数種類の粒子群と異なる色の液体である
請求項１〜６の何れか１項に記載の画像表示媒体の駆動装置。
【請求項８】
前記画像表示媒体が、前記液体中に分散されると共に前記複数種類の粒子群と異なる色の浮遊粒子群をさらに備えた
請求項１〜６の何れか１項に記載の画像表示媒体の駆動装置。
【請求項９】
前記画像表示媒体が、前記表示基板と前記背面基板との間に固定配置されると共に、前記複数の粒子群と色が異なり且つ前記複数の粒子群の粒子径よりも大きい粒子径を有する大径粒子群をさらに備えた
請求項１〜６の何れか１項に記載の画像表示媒体の駆動装置。
【請求項１０】
前記複数種類の粒子群が、色がイエロー、マゼンダ、シアンの３種類の粒子群を含む
請求項１〜９の何れか１項に記載の画像表示媒体の駆動装置。
【請求項１１】
前記複数種類の粒子群が、補色関係にある２種類の粒子群を含む
請求項１〜１０の何れか１項に記載の画像表示媒体の駆動装置。
【請求項１２】
少なくとも一方が透光性を有する一対の基板と、前記一対の記基板間に封入された液体と、前記一対の基板間に形成された電界に応じて移動するように前記一対の基板間に封入された帯電極性が同極性であると共に色及び閾値電圧特性が異なる複数種類の粒子群と、を備えた画像表示媒体と、
前記複数種類の粒子群のうち少なくとも２種類の粒子群が前記一対の基板の一方の基板に積層されている場合に、当該少なくとも２種類の粒子群のうち他方の基板側へ移動開始する閾値電圧の絶対値が最も高い粒子群以外の粒子群を往復運動させるための交番電圧を、前記一対の基板間に印加する第１の電圧印加手段と、
前記他方の基板側に移動させるべき粒子群を前記他方の基板側に移動させるための表示駆動電圧を、前記一対の基板間に印加する第２の電圧印加手段と、
を備えた画像表示装置。
【発明の詳細な説明】
【技術分野】
【０００１】
本発明は、画像表示媒体の駆動装置及び画像表示装置に関する。
【背景技術】
【０００２】
従来から、繰り返し書き換えが可能なメモリー性を有する画像表示媒体として、電気泳動を用いた画像表示媒体、着色粒子を用いた画像表示媒体、メモリー性を有する液晶を用いた画像表示媒体などが提案されている。
【０００３】
例えば特許文献１には、透明分散流体中に複数種類の同極性に帯電した粒子を含有して、各粒子の移動度の差を利用して多色表示を行う技術が開示されている。
【０００４】
また、特許文献２には、互いに間隔を置き相対向して配置された一対の透明基材及び基材の間に、移動度（一定の電界に対する分散媒体内での電気泳動粒子の移動速度）及び粒子径が異なるイエロー、マゼンタ、シアンの電気泳動粒子が混入した複数のマイクロカプセルを配設して、透明基材及び基材の対向面側に、各マイクロカプセルに対応する位置にそれぞれ透明電極及び電極を設け、マイクロカプセル毎に電界を与えることにより各電気泳動粒子を移動させ、目的の色になった時に電界を切って、カラー表示を行う技術が開示されている。
【０００５】
また、特許文献３には、表示基板と背面基板との間の分散媒中に、表示基板及び背面基板に対する付着力、すなわち移動を開始する電界強度の異なる複数種類の粒子群を封入し、各粒子群の種類に応じて、各種類の粒子群が移動を開始する電界強度の電界を形成することで、選択的に所望の粒子を移動させて、所望の色以外の色の粒子が分散媒中を移動することを抑制して、所望の色以外の色が混じる混色を抑制する技術が開示されている。
【０００６】
また、特許文献４には、画像の履歴が残るのを防止したり、階調性を改善したりするために、表示基板と背面基板との間の液体中に異なる極性に帯電された粒子が封入された画像表示媒体を表示駆動させる前に、交番電圧を印加する技術が開示されている。
【特許文献１】特開２００６−５８９０１号公報
【特許文献２】特開２００６−３４３４５７号公報
【特許文献３】特開２００７−２４９１８８号公報
【特許文献４】特表２００６−５２６１６２号公報
【発明の開示】
【発明が解決しようとする課題】
【０００７】
本発明は、混色を抑えて表示することができる画像表示媒体の駆動装置及び画像表示装置を提供することを目的とする。
【課題を解決するための手段】
【０００８】
上記目的を達成するために請求項１に記載の画像表示媒体の駆動装置は、少なくとも一方が透光性を有する一対の基板と、前記一対の記基板間に封入された液体と、前記一対の基板間に形成された電界に応じて移動するように前記一対の基板間に封入された帯電極性が同極性であると共に色及び閾値電圧特性が異なる複数種類の粒子群と、を備えた画像表示媒体の、前記複数種類の粒子群のうち少なくとも２種類の粒子群が前記一対の基板の一方の基板に積層されている場合に、当該少なくとも２種類の粒子群のうち他方の基板側へ移動開始する閾値電圧の絶対値が最も高い粒子群以外の粒子群を往復運動させるための交番電圧を、前記一対の基板間に印加する第１の電圧印加手段と、前記他方の基板側に移動させるべき粒子群を前記他方の基板側に移動させるための表示駆動電圧を、前記一対の基板間に印加する第２の電圧印加手段と、を備えたことを特徴とする。
【０００９】
請求項２記載の発明は、前記第１の電圧印加手段は、前記複数種類の粒子群のうち同極性に帯電された少なくとも２種類の粒子群が前記一方の基板に積層されている状態から、一部の種類の粒子群を前記他方の基板側に移動させる場合にのみ、前記一部の種類の粒子群を移動させるための交番電圧を前記一対の基板間に印加することを特徴とする。
【００１０】
請求項３記載の発明は、前記第１の電圧印加手段は、前記他方の基板側に残る粒子群が２種類以上の粒子群から成る場合、前記閾値電圧の絶対値が最も高い閾値電圧を除いて閾値電圧が高い順に、前記交番電圧を前記一対の基板間に印加することを特徴とする。
【００１１】
請求項４記載の発明は、前記交番電圧のパルス幅が、前記表示駆動電圧のパルス幅よりも小さいことを特徴とする。
【００１２】
請求項５記載の発明は、前記交番電圧のうち前記他方の基板側へ一旦移動した粒子群を前記一方の基板側へ戻すためのパルス電圧のパルス幅が、前記交番電圧のうち前記一方の基板側から前記他方の基板側へ前記粒子群を移動させるためのパルス電圧のパルス幅よりも大きいことを特徴とする。
【００１３】
請求項６記載の発明は、前記交番電圧のうち前記他方の基板側へ一旦移動した粒子群を前記一方の基板側へ戻すためのパルス電圧の絶対値が、前記交番電圧のうち前記一方の基板側から前記他方の基板側へ前記粒子群を移動させるためのパルス電圧の絶対値よりも大きいことを特徴とする。
【００１４】
請求項７記載の発明は、前記液体は、前記複数種類の粒子群と異なる色の液体であることを特徴とする。
【００１５】
請求項８記載の発明は、前記画像表示媒体が、前記液体中に分散されると共に前記複数種類の粒子群と異なる色の浮遊粒子群をさらに備えたことを特徴とする。
【００１６】
請求項９記載の発明は、前記画像表示媒体が、前記表示基板と前記背面基板との間に固定配置されると共に、前記複数の粒子群と色が異なり且つ前記複数の粒子群の粒子径よりも大きい粒子径を有する大径粒子群をさらに備えたことを特徴とする。
【００１７】
請求項１０記載の発明は、前記複数種類の粒子群が、色がイエロー、マゼンダ、シアンの３種類の粒子群を含むことを特徴とする。
【００１８】
請求項１１記載の発明は、前記複数種類の粒子群が、補色関係にある２種類の粒子群を含むことを特徴とする。
【００１９】
請求項１２記載の画像表示装置の発明は、少なくとも一方が透光性を有する一対の基板と、前記一対の記基板間に封入された液体と、前記一対の基板間に形成された電界に応じて移動するように前記一対の基板間に封入された帯電極性が同極性であると共に色及び閾値電圧特性が異なる複数種類の粒子群と、を備えた画像表示媒体と、前記複数種類の粒子群のうち少なくとも２種類の粒子群が前記一対の基板の一方の基板に積層されている場合に、当該少なくとも２種類の粒子群のうち他方の基板側へ移動開始する閾値電圧の絶対値が最も高い粒子群以外の粒子群を往復運動させるための交番電圧を、前記一対の基板間に印加する第１の電圧印加手段と、前記他方の基板側に移動させるべき粒子群を前記他方の基板側に移動させるための表示駆動電圧を、前記一対の基板間に印加する第２の電圧印加手段と、を備えたことを特徴とする。
【発明の効果】
【００２０】
請求項１記載の発明によれば、交番電圧を印加しない場合と比較して、混色を抑えることができる、という効果がある。
【００２１】
請求項２記載の発明によれば、毎回交番電圧を印加する場合と比較して、表示に要する時間を短縮することができる、という効果がある。
【００２２】
請求項３記載の発明によれば、本構成を有しない場合と比較して、各層をきれに積層することができる、という効果がある。
【００２３】
請求項４記載の発明によれば、交番電圧のパルス幅が、表示駆動電圧のパルス幅と同一の場合と比較して、表示時間を短縮することができる、という効果がある。
【００２４】
請求項５記載の発明によれば、一方の基板側へ戻すためのパルス電圧のパルス幅と一方の基板側から他方の基板側へ粒子群を移動させるためのパルス電圧のパルス幅とが同一の場合と比較して、より各層をきれいに積層することができる、という効果がある。
【００２５】
請求項６記載の発明によれば、一方の基板側へ戻すためのパルス電圧の絶対値と一方の基板側から他方の基板側へ粒子群を移動させるためのパルス電圧の絶対値とが同一の場合と比較して、より各層をきれいに積層することができる、という効果がある。
【００２６】
請求項７記載の発明によれば、液体が、複数種類の粒子群と異なる色ではない場合と比較して、より多くの色を表示することができる、という効果がある。
【００２７】
請求項８記載の発明によれば、本構成を有さない場合と比較して、より多くの色を表示することができる、という効果がある。
【００２８】
請求項９記載の発明によれば、本構成を有さない場合と比較して、より多くの色を表示することができる、という効果がある。
【００２９】
請求項１０記載の発明によれば、本構成を有さない場合と比較して、より多くの色を表示することができる、という効果がある。
【００３０】
請求項１１記載の発明によれば、本構成を有さない場合と比較して、より多くの色を表示することができる、という効果がある。
【００３１】
請求項１２記載の発明によれば、交番電圧を印加しない場合と比較して、混色を抑えることができる、という効果がある。
【発明を実施するための最良の形態】
【００３２】
以下、図面を参照して本発明の実施の形態の一例を詳細に説明する。なお、実質的に同一の機能を有する部材については、全図面通して同一符号を付して、重複する説明を省略する場合がある。
【００３３】
（第１実施形態）
図１（Ａ）は、本発明の第１実施形態に係る画像表示装置１０を示す概略構成図である。なお、図１（Ａ）は、マゼンダ色を表示している例を示す図である。
【００３４】
図１（Ａ）に示すように、本実施形態に係る画像表示装置１０は、着色粒子の移動によって画像を表示する画像表示媒体１２と、パーソナルコンピュータ等の外部の画像信号出力装置からの画像表示指示を受けて画像記憶部４４に記憶された画像データに基づいて電圧印加部４０の駆動を制御する制御部４２と、を含んで構成されている。
【００３５】
画像表示媒体１２は、画像表示面とされる透光性を有する表示基板１８と、表示基板１８に予め定めた間隔を持って対向配置された背面基板２８と、を含んで構成されている。なお、表示基板１８と背面基板２８との基板間を複数のセルに区画する間隙部材を含むようにしてもよい。この場合、セルとは、表示基板１８と、背面基板２８と、間隙部材と、によって囲まれた領域を称する。また、間隙部材は、画像表示媒体１２に画像を表示したときに各画素に対応するように設けてもよいし、複数画素を含むようにして設けるようにしてもよいし、１つの画素内を複数のセルに分割するように設けるようにしてもよい。
【００３６】
表示基板１８と背面基板２８間には、一例として白色の分散液２４が封入されており、分散液２４中に、３種類の着色粒子、具体的にはシアン色の着色粒子３２Ｃ、マゼンダ色の着色粒子３２Ｍ、イエロー色の着色粒子３２Ｙが封入されている。なお、本実施形態では、一例として着色粒子３２Ｃ、３２Ｍの粒子径がほぼ同一で、着色粒子３２Ｙの粒子径は着色粒子３２Ｃ、３２Ｍの粒子径よりも大きいが、色と粒子径の組み合わせはこれに限られるものではない。各着色粒子は、基板間に形成された電間強度に応じて移動する。
【００３７】
表示基板１８は、支持基板１４上に表面電極１６及び表面層１７を順に積層した構成となっている、背面基板２８は、支持基板２６上に、背面電極２２及び表面層２０を順に積層した構成になっている。
【００３８】
上記支持基板１４、２６としては、ガラスや、プラスチック、例えば、ポリカーボネート樹脂、アクリル樹脂、ポリイミド樹脂、ポリエステル樹脂、エポキシ樹脂、ポリエーテルサルフォン樹脂等が挙げられる。
【００３９】
表面電極１６及び背面電極２２には、インジウム、スズ、カドミウム、アンチモン等の酸化物、ＩＴＯ等の複合酸化物、金、銀、銅、ニッケル等の金属、ポリピロールやポリチオフェン等の有機材料等が使用される。これらは単層膜あるいは複合膜として、蒸着法、スパッタリング法、塗布法等で形成される。また、その厚さは、蒸着法、スパッタリング法によれば、通常１００〜２０００オングストロームである。表面電極１６及び背面電極２２は、従来の液晶表示素子あるいはプリント基板のエッチング等の従来公知の手段により、所望のパターンが形成され、例えば、任意のセグメント状、あるいはパッシブマトリックス駆動を可能とするストライプ状等に形成される。
【００４０】
なお、表面電極１６は、支持基板１４に埋め込んでもよいし、同様に、背面電極２２は支持基板２６に埋め込んでもよい。この場合、支持基板１４、２６の材料が、各着色粒子３２の電気的特性または磁気的特性や流動性に影響を及ぼすことがあるので、各粒子の組成等に応じて選択する必要がある。
【００４１】
また、表面電極１６及び背面電極２２の各々を、表示基板１８及び背面基板２８と分離させて、画像表示媒体１２の外部に配置するようにしてもよい。本実施形態では、表示基板１８と背面基板２８の双方に電極（表面電極１６及び背面電極２２）を備える場合を説明するが、何れか一方にだけ設けるようにしてもよい。
【００４２】
また、アクティブマトリックス駆動を可能にするために、支持基板１４、２６が、画素毎にＴＦＴ（薄膜トランジスタ）を備えるようにしてもよい。この場合、配線の積層化及び部品実装が容易であることから、ＴＦＴは表示基板１８ではなく背面基板２８に形成することが好ましい。
【００４３】
なお、画像表示媒体１２を単純マトリックス駆動すると、画像表示装置１０の構成を簡易な構成とすることができ、ＴＦＴを用いたアクティブマトリックス駆動とすると、単純マトリックス駆動に比べて表示速度が速くなる。
【００４４】
また、表面電極１６及び背面電極２２が、各々支持基板１４、２６上に形成されている場合、表面電極１６及び背面電極２２の破損や、着色粒子３２の固着を招く電極間のリークの発生を防止するため、必要に応じて表面電極１６及び背面電極２２上に誘電体膜としての表面層を各々形成することが好ましい。この表面層を形成する材料としては、ポリカーボネート、ポリエステル、ポリスチレン、ポリイミド、エポキシ、ポリイソシアネート、ポリアミド、ポリビニルアルコール、ポリブタジエン、ポリメチルメタクリレート、共重合ナイロン、紫外線硬化アクリル樹脂、フッ素樹脂等が適用される。
【００４５】
誘電体膜を構成する材料としては上述した材料の他に、この材料中に電荷輸送物質を含有させたものを使用してもよい。電荷輸送物質としては、例えば、正孔輸送物質であるヒドラゾン化合物、スチルベン化合物、ピラゾリン化合物、アリールアミン化合物等が挙げられる。また、電子輸送物質であるフルオレノン化合物、ジフェノキノン誘導体、ピラン化合物、酸化亜鉛等を使用してもよい。さらに、電荷輸送性を有する自己支持性の樹脂を用いてもよい。具体的には、ポリビニルカルバゾール、米国特許第４８０６４４３号に記載の特定のジヒドロキシアリールアミンとビスクロロホルメートとの重合によるポリカーボネート等が挙げられる。また、誘電体膜としての表面層は、各着色粒子３２の帯電特性や流動性に影響を及ぼすことがあるので、各着色粒子３２の組成等に応じて選択する必要がある。
【００４６】
また、画像表示媒体１２を構成する表示基板１８は、上述したように透光性を有する必要があるので、上記各材料のうち透光性を有する材料を使用する。
【００４７】
間隙部材を設ける場合には、熱可塑性樹脂、熱硬化性樹脂、電子線硬化樹脂、光硬化樹脂、ゴム、金属等で形成される。また、間隙部材は、表示基板１８及び背面基板２８の何れか一方と一体化されていてもよい。この場合には、支持基板１４、２６の何れか一方をエッチングするエッチング処理、レーザー加工処理、予め製作した型を使用したプレス加工処理等によって作製される。または、印刷方式やインクジェット方式等を用いることによっても作製される。なお、間隙部材は、表示基板１８側あるいは背面基板２８側の少なくとも一方に作製するようにしてもよい。また、間隙部材は、有色でも無色でもよいが、画像表示媒体１２に表示される表示画像に悪影響を及ぼさないように、無彩色あるいは無色透明であることが好ましく、その場合には、例えば、ポリスチレンやポリエステルやアクリルなどの透明樹脂等が使用される。
【００４８】
各着色粒子３２が分散される分散液２４としては、高抵抗液体であることが好ましい。ここで、「高抵抗」とは、体積抵抗率が１０７Ω・ｃｍ以上、好ましくは、１０１０Ω・ｃｍ以上、より好ましくは１０１２Ω・ｃｍ以上であることを示している。
【００４９】
高抵抗液体として具体的には、ヘキサン、シクロヘキサン、トルエン、キシレン、デカン、ヘキサデカン、ケロセン、パラフィン、イソパラフィン、シリコーンオイル、ジククロロエチレン、トリクロロエチレン、パークロロエチレン、高純度石油、ベンジン、ジイソプロピルナフタレン、オリーブ油、トリクロロトリフルオロエタン、テトラクロロエタン、ジブロモテトラフルオロエタンなどや、それらの混合物が好適に使用される。
【００５０】
なお、高抵抗液体には、必要に応じて、酸、アルカリ、塩、分散安定剤、酸化防止や紫外線吸収などを目的として安定剤、抗菌剤、防腐剤などが添加されるが、上記で示した特定の体積抵抗値の範囲となるように添加することが好ましい。
【００５１】
また、高抵抗液体には、帯電制御剤として、陰イオン界面活性剤、陽イオン界面活性剤、両性界面活性剤、非イオン界面活性剤、フッ素系界面活性剤、シリコーン系界面活性剤、金属石鹸、アルキルリン酸エステル類、コハク酸イミド類等を必要に応じて添加してもよい。
【００５２】
イオン性および非イオン性の界面活性剤としては、より具体的には以下があげられる。ノニオン活性剤としては、ポリオキシエチレンノニルフェニルエーテル、ポリオキシエチレンオクチルフェニルエーテル、ポリオキシエチレンドデシルフェニルエーテル、ポリオキシエチレンアルキルエーテル、ポリオキシエチレン脂肪酸エステル、ソルビタン脂肪酸エステル、ポリオキシエチレンソルビタン脂肪酸エステル、脂肪酸アルキロールアミド等が挙げられる。アニオン界面活性剤としては、アルキルベンゼンスルホン酸塩、アルキルフェニルスルホン酸塩、アルキルナフタリンスルホン酸塩、高級脂肪酸塩、高級脂肪酸エステルの硫酸エステル塩、高級脂肪酸エステルのスルホン酸等がある。カチオン界面活性剤としては、第一級ないし第三級のアミン塩、第四級アンモニウム塩等が挙げられる。これら帯電制御材は、粒子固形分に対して２０重量％以下が好ましい、特に、１０重量％以下の範囲が好ましい。２０重量％を越えると、分散液の過度な電導度の上昇を引き起こす。
【００５３】
分散液２４中に分散させられる各着色粒子３２の各粒子としては、ガラスビーズ、アルミナ、酸化チタン等の金属酸化物粒子等、熱可塑性若しくは熱硬化性樹脂粒子、これらの樹脂粒子の表面に着色剤を固定したもの、熱可塑性若しくは熱硬化性樹脂中に着色剤を含有する粒子、及びプラズモン発色機能を有する金属コロイド粒子等が挙げられる。
【００５４】
粒子の製造に使用される熱可塑性樹脂としては、スチレン、クロロスチレン等のスチレン類、エチレン、プロピレン、ブチレン、イソプレン等のモノオレフィン、酢酸ビニル、プロピオン酸ビニル、安息香酸ビニル、酪酸ビニル等のビニルエステル、アクリル酸メチル、アクリル酸エチル、アクリル酸ブチル、アクリル酸ドデシル、アクリル酸オクチル、アクリル酸フェニル、メタクリル酸メチル、メタクリル酸エチル、メタクリル酸ブチル、メタクリル酸ドデシル等のα−メチレン脂肪族モノカルボン酸エステル類、ビニルメチルエーテル、ビニルエチルエーテル、ビニルブチルエーテル等のビニルエーテル類、ビニルメチルケトン、ビニルヘキシルケトン、ビニルイソプロペニルケトン等のビニルケトン類の単独重合体あるいは共重合体が例示される。
【００５５】
また、粒子の製造に使用される熱硬化性樹脂としては、ジビニルベンゼンを主成分とする架橋共重合体や架橋ポリメチルメタクリレート等の架橋樹脂、フェノール樹脂、尿素樹脂、メラミン樹脂、ポリエステル樹脂、シリコーン樹脂等が挙げられる。特に代表的な結着樹脂としては、ポリスチレン、スチレン−アクリル酸アルキル共重合体、スチレン−メタクリル酸アルキル共重合体、スチレン−アクリロニトリル共重合体、スチレン−ブタジエン共重合体、スチレン−無水マレイン酸共重合体、ポリエチレン、ポリプロピレン、ポリエステル、ポリウレタン、エポキシ樹脂、シリコーン樹脂、ポリアミド、変性ロジン、パラフィンワックス等が挙げされる。
【００５６】
着色剤としては、有機若しくは無機の顔料や、油溶性染料等が使用され、マグネタイト、フェライト等の磁性紛、カーボンブラック、酸化チタン、酸化マグネシウム、酸化亜鉛、フタロシアニン銅系シアン色材、アゾ系イエロー色材、アゾ系マゼンタ色材、キナクリドン系マゼンタ色材、レッド色材、グリーン色材、ブルー色材等の公知の着色剤が挙げられる。具体的には、アニリンブルー、カルコイルブルー、クロムイエロー、ウルトラマリンブルー、デュポンオイルレッド、キノリンイエロー、メチレンブルークロリド、フタロシアニンブルー、マラカイトグリーンオキサレート、ランプブラック、ローズベンガル、Ｃ．Ｉ．ピグメント・レッド４８：１、Ｃ．Ｉ．ピグメント・レッド１２２、Ｃ．Ｉ．ピグメント・レッド５７：１、Ｃ．Ｉ．ピグメント・イエロー９７、Ｃ．Ｉ．ピグメント・ブルー１５：１、Ｃ．Ｉ．ピグメント・ブルー１５：３、等が代表的なものとして例示される。
【００５７】
粒子の樹脂には、必要に応じて、帯電制御剤を混合してもよい。帯電制御剤としては、電子写真用トナー材料に使用される公知のものが使用され、例えば、セチルピリジルクロライド、ＢＯＮＴＲＯＮ  Ｐ−５１、ＢＯＮＴＲＯＮ  Ｐ−５３、ＢＯＮＴＲＯＮ  Ｅ−８４、ＢＯＮＴＲＯＮ  Ｅ−８１（以上、オリエント化学工業社製）等の第４級アンモニウム塩、サリチル酸系金属錯体、フェノール系縮合物、テトラフェニル系化合物、酸化金属粒子、各種カップリング剤により表面処理された酸化金属粒子が挙げられる。
【００５８】
粒子の表面には、必要に応じて、外添剤を付着させてもよい。外添剤の色は、粒子の色に影響を与えないように、透明であることが好ましい。外添剤としては、酸化ケイ素（シリカ）、酸化チタン、アルミナ等の金属酸化物等の無機粒子が用いられる。粒子の帯電性、流動性、及び環境依存性等を調整するために、これらをカップリング剤やシリコーンオイルで表面処理するようにしてもよい。カップリング剤には、アミノシラン系カップリング剤、アミノチタン系カップリング剤、ニトリル系カップリング剤等の正帯電性のものと、窒素原子を含まない（窒素以外の原子で構成される）シラン系カップリング剤、チタン系カップリング剤、エポキシシランカップリング剤、アクリルシランカップリング剤等の負帯電性のものがある。また、シリコーンオイルには、アミノ変性シリコーンオイル等の正帯電性のものと、ジメチルシリコーンオイル、アルキル変性シリコーンオイル、α−メチルスルホン変性シリコーンオイル、メチルフェニルシリコーンオイル、クロルフェニルシリコーンオイル、フッ素変性シリコーンオイル等の負帯電性のものが挙げられる。
【００５９】
上記外添剤の中では、よく知られている疎水性シリカや疎水性酸化チタンが好ましく、特に特開平１０−３１７７記載のＴｉＯ（ＯＨ）2と、シランカップリング剤等のシラン化合物との反応で得られるチタン化合物が好適である。シラン化合物としてはクロロシラン、アルコキシシラン、シラザン、特殊シリル化剤のいずれのタイプを使用してもよい。このチタン化合物は、湿式工程の中で作製されるＴｉＯ（ＯＨ）2にシラン化合物あるいはシリコーンオイルを反応、乾燥させて作製される。数百度という焼成工程を通らないため、Ｔｉ同士の強い結合が形成されず、凝集が全くなく、粒子は一次粒子の状態である。さらに、ＴｉＯ（ＯＨ）2にシラン化合物あるいはシリコーンオイルを直接反応させるため、シラン化合物やシリコーンオイルの処理量が多くなり、シラン化合物の処理量等を調整することにより帯電特性が制御され、且つ付与される帯電能も従来の酸化チタンのそれより顕著に改善される。
【００６０】
外添剤の一次粒子は、一般的には５〜１００ｎｍであり、１０〜５０ｎｍであることがより好ましいが、これに限定されない。
【００６１】
外添剤と粒子の配合比は粒子の粒子径と外添剤の粒子径の兼ね合いから調整される。外添剤の添加量が多すぎると粒子表面から該外添剤の一部が遊離したり、これが他の粒子の表面に付着して、所望の帯電特性が得られなくなる。一般的には、外添剤の量は、粒子１００質量部に対して、０．０１〜３質量部、また０．０５〜１質量部であることがより良い。
【００６２】
なお、外添剤は、複数種類の粒子の何れか１種にだけ添加してもよいし、複数種または全種類の粒子へ添加してもよい。全粒子の表面に外添剤を添加する場合は、粒子表面に外添剤を衝撃力で打込んだり、粒子表面を加熱して外添剤を粒子表面に強固に固着したりすることが望ましい。これにより、外添剤が粒子から遊離し、異極性の外添剤が強固に凝集して、電界で解離させることが困難な外添剤の凝集体を形成することが防止され、ひいては画質劣化が防止される。
【００６３】
一方各着色粒子３２を作製する方法としては、従来公知のどの方法を用いてもよい。例えば、特開平７−３２５４３４公報記載のように、樹脂、顔料および帯電制御剤を予め定めた混合比になるように計量し、樹脂を加熱溶融させた後に顔料を添加して混合、分散させ、冷却した後、ジェットミル、ハンマーミル、ターボミル等の粉砕機を用いて粒子を調製し、得られた粒子をその後分散媒に分散する方法が使用される。また、懸濁重合、乳化重合、分散重合等の重合法やコアセルベーション、メルトディスパージョン、エマルジョン凝集法で帯電制御剤を粒子中に含有させた粒子を調製し、その後分散媒に分散して粒子分散媒を作成してもよい。さらには、樹脂が可塑化可能で、分散媒が沸騰せず、かつ、樹脂、帯電制御剤および／または着色剤の分解点より低温で、前記の樹脂、着色剤、帯電制御剤および分散媒の原材料を分散および混錬することができる適当な装置を用いる方法がある。具体的には、流星型ミキサー、ニーダー等で顔料と樹脂、帯電制御剤を分散媒中で加熱溶融し、樹脂の溶媒溶解度の温度依存性を利用して、溶融混合物を撹拌しながら冷却し、凝固／析出させて粒子が作成される。
【００６４】
着色粒子３２Ｃ及び着色粒子３２Ｍの各粒子の大きさ（体積平均粒子径）は、着色粒子３２Ｙの隙間を着色粒子３２Ｃ及び着色粒子３２Ｍが移動可能な大きさとされる。従って、着色粒子３２Ｙの大きさは、着色粒子３２Ｃ、３２Ｍの１０倍以上であることが望ましく、各着色粒子群の粒子径のばらつきが大きい場合には２０倍以上であることが望ましい。この場合、着色粒子３２Ｙの隙間を着色粒子３２Ｃ、３２Ｍが詰まることなく良好に移動される。
【００６５】
また、着色粒子３２Ｃ、３２Ｍの大きさは、小さいほうが高解像度に画像表示されるが、移動速度が低下して表示切替速度が低下することや、表示のメモリ性と分散の安定性の両立が難しくなることから、２０ｎｍ以上で１０μｍ以下であることが望ましい。
【００６６】
また、着色粒子３２Ｙの大きさが大きくなると、基板間距離が大きくなり、表示駆動電圧の増大や、表示切替速度の低下が発生するため、着色粒子３２Ｙの大きさは、５０μｍ以下が好ましく、３０μｍ以下がより好ましい。
【００６７】
また、本実施形態の着色粒子は、予め定めた特定レベルの電圧を基板間に予め定めた特定時間印加して電界を与えた場合にそれぞれ異なる基板側に移動されるようになっており、本実施形態では、着色粒子３２Ｙ、３２Ｃが負に帯電され、着色粒子３２Ｍが正に帯電しているものとして説明するが、正負がそれぞれ逆としてもよい。
【００６８】
なお、各着色粒子は、表示基板１８側に積層させて２次色及び３次色を表示する場合に、これらの色が表示可能な程度の透光性を有するものを適用することが好ましい。
【００６９】
一方、表面電極１６及び背面電極２２は、それぞれ電圧印加部４０に接続されており、電圧印加部４０によって表面電極１６及び背面電極２２に電圧を印加することにより、基板間に電界が形成される。
【００７０】
電圧印加部４０は、制御部４２に接続されており、制御部４２には画像記憶部４４が接続されている。制御部４２は、ＣＰＵ、ＲＯＭ、ＲＡＭ、ハードディスク等を備えて構成され、ＣＰＵは、ＲＯＭやハードディスク等に記憶されているプログラムに従って画像表示媒体１２への画像表示を行う。画像記憶部４４は、ハードディスク等を適用することができ、画像表示媒体１２に画像を表示させるための表示用画像を記憶する。すなわち、画像記憶部４４に記憶された表示用画像に応じて制御部４２が電圧印加部４０を制御して基板間に電圧を印加することにより、電圧に応じて各着色粒子３２が移動して画像が表示される。なお、画像記憶部４４に記憶される表示用画像は、ＣＤ−ＲＯＭやＤＶＤ等の各種記録媒体やネットワークを介して画像記憶部４４に取り込んでもよい。
【００７１】
また、各着色粒子３２は、基板間への電圧の印加を停止した後も、ファンデルワールス力や鏡像力等の付着力によって、電圧が印加された時の状態が維持される。
【００７２】
図１（Ｂ）には、本実施形態に係る画像表示装置１０において、各着色粒子３２を表示基板１８側、背面基板２８側に移動させるために必要な印加電圧の特性を示した。
【００７３】
図１（Ｂ）は、背面電極２２をグランド（０Ｖ）として表面電極１６に印加されたパルス電圧と、各着色粒子３２による表示濃度との関係を示したものである。表示濃度は、表示面側と背面側との間にパルス電圧を印加して且つこのパルス電圧を段階的に徐々に変化（印加電圧を増加または減少）させ、各パルス電圧での表示面側の光学濃度（Optical Density=0D）をX-rite社の反射濃度計（X-Rite404）で測定した。
【００７４】
本実施形態では、各着色粒子３２の帯電量と粒子径（体積平均粒子径）の差によって、各着色粒子３２と表示基板１８の表面層１７との付着力、および各着色粒子３２間の付着力に差を設け、各着色粒子３２の移動開始電圧に差を設けている。
【００７５】
なお、各着色粒子３２の表示濃度特性は、前記したような付着力の差で制御してもよいし、これとは別に各着色粒子３２の移動度の差で制御してもよい。
【００７６】
本実施形態では、着色粒子３２Ｃ、３２Ｙは負に帯電され、着色粒子３２Ｍは正に帯電されている。
【００７７】
図１（Ｂ）に示すように、背面基板２８側の着色粒子３２Ｙが表示基板１８側へ移動開始する移動開始電圧（閾値電圧）は＋Ｖｙ１であり、背面基板２８側の着色粒子３２Ｙが表示基板１８側へ移動終了する移動終了電圧は＋Ｖｙ２である。すなわち、表面電極１６に印加する電圧Ｖを＋Ｖｙ１≦Ｖ≦＋Ｖｙ２の範囲で調整することによりイエロー色の階調が調整される。
【００７８】
また、表示基板１８側の着色粒子３２Ｙが背面基板２８側へ移動開始する移動開始電圧は−Ｖｙ１であり、表示基板１８側の着色粒子３２Ｙが背面基板２８側へ移動終了する移動終了電圧は−Ｖｙ２である。すなわち、表面電極１６に印加する電圧Ｖを−Ｖｙ２≦Ｖ≦−Ｖｙ１の範囲で調整することによりイエロー色の階調が調整される。ここで、｜Ｖｙ１｜＝０Ｖでもよいが、表示のメモリー性を考慮すると、図１（Ｂ）に示すように、｜Ｖｙ１｜＞０Ｖとすることが好ましい。
【００７９】
また、図１（Ｂ）に示すように、背面基板２８側の着色粒子３２Ｃが表示基板１８側へ移動開始する移動開始電圧は＋Ｖｃ１であり、背面基板２８側の着色粒子３２Ｃが表示基板１８側へ移動終了する移動終了電圧は＋Ｖｃ２である。すなわち、表面電極１６に印加する電圧Ｖを＋Ｖｃ１≦Ｖ≦＋Ｖｃ２の範囲で調整することによりシアン色の階調が調整される。
【００８０】
また、表示基板１８側の着色粒子３２Ｃが背面基板２８側へ移動開始する移動開始電圧は−Ｖｃ１であり、表示基板１８側の着色粒子３２Ｃが背面基板２８側へ移動終了する移動終了電圧は−Ｖｃ２である。すなわち、表面電極１６に印加する電圧Ｖを−Ｖｃ２≦Ｖ≦−Ｖｃ１の範囲で調整することによりシアン色の階調が調整される。
【００８１】
また、図１（Ｂ）に示すように、背面基板２８側の着色粒子３２Ｍが表示基板１８側へ移動開始する移動開始電圧は−Ｖｍ１であり、背面基板２８側の着色粒子３２Ｃが表示基板１８側へ移動終了する移動終了電圧は−Ｖｍ２である。すなわち、表面電極１６に印加する電圧Ｖを−Ｖｍ２≦Ｖ≦−Ｖｍ１の範囲で調整することによりマゼンダ色の階調が調整される。
【００８２】
また、表示基板１８側の着色粒子３２Ｍが背面基板２８側へ移動開始する移動開始電圧は＋Ｖｍ１であり、表示基板１８側の着色粒子３２Ｍが背面基板２８側へ移動終了する移動終了電圧は＋Ｖｍ２である。すなわち、表面電極１６に印加する電圧Ｖを＋Ｖｍ１≦Ｖ≦＋Ｖｍ２の範囲で調整することによりマゼンダ色の階調が調整される。
【００８３】
このように、着色粒子３２Ｙの閾値電圧は｜Ｖｙ１｜、着色粒子３２Ｃの閾値電圧は｜Ｖｃ１｜、着色粒子３２Ｍの閾値電圧は｜Ｖｍ１｜であり、｜Ｖｙ１｜＜｜Ｖｃ１｜＜｜Ｖｍ１｜となっている。
【００８４】
次に、上述のように構成された本実施形態に係る画像表示装置１０の駆動制御の一例について、図２、３を参照して説明する。なお、以下では、説明を簡単にするために、背面電極２２をグランド（０Ｖ）とし、表面電極１６に電圧印加するものとして説明する。
【００８５】
まず、制御部４２の制御により電圧印加部４０が表面電極１６に電圧−Ｖｍ２を印加すると、正に帯電した着色粒子３２Ｍが表示基板１８側に移動し、負に帯電した着色粒子３２Ｃ、３２Ｙが背面基板２８側に移動する。これにより、図２（Ａ）に示す状態となり、着色粒子３２Ｍのマゼンダ色が表示される。
【００８６】
また、図２（Ａ）に示した状態から、制御部４２の制御により電圧印加部４０が表面電極１６に電圧＋Ｖｃ２を印加することによって、着色粒子３２Ｃ、３２Ｙが表示基板１８側に移動し、図２（Ｂ）に示す状態となり、着色粒子３２Ｃ、３２Ｙ、３２Ｍの混合色である黒色が表示される。
【００８７】
一方、図２（Ａ）に示した状態から、制御部４２の制御により電圧印加部４０が表面電極１６に電圧＋Ｖｙ２を印加すると、負に帯電した着色粒子３２Ｙが表示基板１８側に移動する。これにより、図２（Ｃ）に示す状態となり、着色粒子３２Ｍ、３２Ｙの混合色である赤色が表示される。
【００８８】
ところで、図２（Ａ）に示す状態は、同極性に帯電され、閾値電圧が異なる着色粒子３２Ｃ、３２Ｙが背面基板２８側に積層された状態であるが、実際には、図２（Ａ）に示すように背面基板２８上に着色粒子３２Ｃ、３２Ｙがきれいに積層するとは限らず、図４（Ａ）に示すように、着色粒子３２Ｃ、３２Ｙが混在した状態となる場合がある。そして、この状態で表面電極１６に印加電圧Ｖ（＋Ｖｙ２）を印加した場合、着色粒子３２Ｃの閾値電圧は着色粒子３２Ｙよりも高いため、背面基板２８に付着した下層の着色粒子３２Ｃは表示基板１８側へ移動しないものの、着色粒子３２Ｙが移動するのに伴って上層の着色粒子３２Ｃも表示基板１８側へ移動してしまう場合がある。これにより、混色が発生してしまう場合がある。
【００８９】
そこで、本実施形態では、図２（Ａ）に示した状態から図２（Ｃ）に示すように赤色を表示させる場合には、まず、制御部４２は、図５（Ａ）に示すように、表面電極１６に電圧＋Ｖｙ２と電圧−Ｖｙ２を交互に印加する交番電圧を印加してから、表面電極１６に表示駆動電圧として電圧＋Ｖｙ２を印加する。この場合、交番電圧が印加されている間は、着色粒子３２Ｙは往復運動するが、着色粒子３２Ｙよりも閾値電圧が高い上層の着色粒子３２Ｃは基本的に電界の作用によっては動かない。このため、図４（Ｂ）、（Ｃ）に示すように、上層の着色粒子３２Ｃは、着色粒子３２Ｙの往復運動に伴って徐々に下層に配置される。
【００９０】
なお、交番電圧の最後のパルス電圧は、閾値電圧が低い着色粒子３２Ｙを背面基板２８側の上層に配置するために、着色粒子３２Ｙを背面基板２８側へ移動させるための電圧、すなわち、この場合は図５（Ａ）に示すように電圧−Ｖｙ２にすることが好ましい。
【００９１】
また、表示に要する時間を短縮するために、図５（Ａ）に示すように、交番電圧の印加時間ｔ１は、表示駆動電圧の印加時間ｔ２よりも短くすることが好ましい。
【００９２】
また、背面基板２８側から表示基板１８側へ移動した着色粒子が確実に背面基板２８側へ戻るようにするため、図５（Ｂ）に示すように、上層の着色粒子を表示基板１８側へ移動させるためのパルス電圧の幅よりも、着色粒子を背面基板２８側へ戻すためのパルス電圧の幅を長くする、すなわち、この場合、着色粒子を表示基板１８側へ移動させるための電圧＋Ｖｙ２のパルス幅よりも、着色粒子を背面基板２８側へ戻すための電圧−Ｖｙ２のパルス幅を長くするようにしてもよい。
【００９３】
また、背面基板２８側から表示基板１８側へ移動した着色粒子が確実に背面基板２８側へ戻るようにするため、図５（Ｃ）に示すように、上層の着色粒子を表示基板１８側へ移動させるためのパルス電圧の絶対値よりも、着色粒子を背面基板２８側へ戻すためのパルス電圧の絶対値が大きくなるように、すなわち、この場合、着色粒子を表示基板１８側へ移動させるための電圧＋Ｖｙ２の絶対値｜Ｖｙ２｜よりも、着色粒子を背面基板２８側へ戻すための電圧−Ｖｙ２１の絶対値｜Ｖｙ２１｜が大きくなるようにしてもよい。ただし、｜Ｖｙ２１｜は、着色粒子３２Ｃが移動する電圧である｜Ｖｃ１｜よりも小さくする。
【００９４】
また、図２（Ｂ）に示した状態から、制御部４２の制御により電圧印加部４０が表面電極１６に電圧−Ｖｙ２を印加することによって、着色粒子３２Ｙが背面基板２８側に移動し、図２（Ｄ）に示す状態となり、着色粒子３２Ｃ、３２Ｍの混合色である青色が表示される。
【００９５】
なお、図２（Ｂ）に示した状態も、同極性に帯電され、閾値電圧が異なる着色粒子３２Ｃ、３２Ｙが表示基板１８側に積層された状態であるため、この状態から着色粒子３２Ｙだけを背面基板２８側に移動させて図２（Ｄ）に示す状態とする場合にも、表示駆動電圧としての電圧−Ｖｙ２を印加する前に、前述したような交番電圧を印加する。なお、この場合の交番電圧の最後のパルス電圧は、着色粒子３２Ｙを表示基板１８から見て上層に配置させるために、図５の場合とは逆に電圧＋Ｖｙ２を印加する。
【００９６】
また、制御部４２の制御により電圧印加部４０が表面電極１６に電圧＋Ｖｍ２を印加すると、正に帯電した着色粒子３２Ｍが背面基板２８側に移動し、負に帯電した着色粒子３２Ｃ、３２Ｙが表示基板１８側に移動する。これにより、図３（Ａ）に示す状態となり、着色粒子３２Ｃ、３２Ｍの混合色である緑色が表示される。
【００９７】
また、図３（Ａ）に示した状態から、制御部４２の制御により電圧印加部４０が表面電極１６に電圧−Ｖｃ２を印加することによって、着色粒子３２Ｃ、３２Ｙが背面基板２８側に移動し、図３（Ｂ）に示す状態となり、分散液２４の白色が表示される。
【００９８】
一方、図３（Ａ）に示した状態から、制御部４２の制御により電圧印加部４０が表面電極１６に電圧−Ｖｙ２を印加すると、負に帯電した着色粒子３２Ｙが背面基板２８側に移動する。これにより、図３（Ｃ）に示す状態となり、着色粒子３２Ｃのシアン色が表示される。
【００９９】
なお、図３（Ａ）に示した状態も、同極性に帯電され、閾値電圧が異なる着色粒子３２Ｃ、３２Ｙが表示基板１８側に積層された状態であるため、この状態から着色粒子３２Ｙだけを背面基板２８側に移動させて図３（Ｃ）に示す状態とする場合にも、表示駆動電圧としての電圧−Ｖｙ２を印加する前に、前述したような交番電圧を印加する。なお、この場合の交番電圧の最後のパルス電圧は、着色粒子３２Ｙを表示基板１８から見て上層に配置させるために、図５の場合とは逆に電圧＋Ｖｙ２を印加する。
【０１００】
また、図３（Ｂ）に示す状態から、制御部４２の制御により電圧印加部４０が表面電極１６に電圧＋Ｖｙ２を印加することによって、着色粒子３２Ｙが表示基板１８側に移動し、図３（Ｄ）に示す状態となり、着色粒子３２Ｙのイエロー色が表示される。
【０１０１】
なお、図３（Ｂ）に示した状態も、同極性に帯電され、閾値電圧が異なる着色粒子３２Ｃ、３２Ｙが背面基板２８側に積層された状態であるため、この状態から着色粒子３２Ｙだけを表示基板１８側に移動させて図３（Ｄ）に示す状態とする場合にも、表示駆動電圧としての電圧＋Ｖｙ２を印加する前に、前述した図５に示したような交番電圧を印加する。
【０１０２】
また、本実施形態では、画像表示媒体１２が白色の分散液２４を備えた構成とし、この白色の分散液２４により白色を表示する場合について説明したが、これに限らず、例えば図６に示すように、分散液２４を無色とし、画像表示媒体１２が浮遊する白色粒子３２Ｗを備えた構成としても良い。この場合、白色粒子３２Ｗは、例えば帯電特性を持たないものが用いられるが、全く帯電特性を持たないものではなくもよく、僅かに帯電していて駆動時に表示に影響がない程度に僅かに動いてもよい。
【０１０３】
（第２実施形態）
次に、本発明の第２実施形態について説明する。図７（Ａ）は、本発明の第２実施形態に係る画像表示装置５０の構成を示す図である。なお、第１実施形態と同一部分については同一符号を付し、その詳細な説明は省略する。
【０１０４】
第２実施形態に係る画像表示装置５０と第１実施形態で説明した画像表示装置１０とは、画像表示媒体の構成、制御部４２による電圧印加部４０の電圧印加制御が異なる。
【０１０５】
具体的には、図７（Ａ）に示すように、一例として画像表示媒体５２の着色粒子３２Ｙ、３２Ｃ、３２Ｍの粒子径はほぼ同一であり、且つ、帯電極性は全て負となっている。
【０１０６】
図７（Ｂ）には、本実施形態に係る画像表示装置５０において、各着色粒子３２を表示基板１８側、背面基板２８側に移動させるために必要な印加電圧の特性を示した。
【０１０７】
図７（Ｂ）は、背面電極２２をグランド（０Ｖ）として表面電極１６に印加されたパルス電圧と、各着色粒子３２による表示濃度との関係を示したものである。表示濃度は、第１実施形態と同様に測定したものである。
【０１０８】
図７（Ｂ）、図１（Ｂ）に示すように、本実施形態に係る着色粒子３２Ｙ、３２Ｃの印加電圧の特性は第１実施形態と同様である。
【０１０９】
また、図７（Ｂ）に示すように、背面基板２８側の着色粒子３２Ｍが表示基板１８側へ移動開始する移動開始電圧は＋Ｖｍ１であり、背面基板２８側の着色粒子３２Ｃが表示基板１８側へ移動終了する移動終了電圧は＋Ｖｍ２である。すなわち、表面電極１６に印加する電圧Ｖを＋Ｖｍ１≦Ｖ≦＋Ｖｍ２の範囲で調整することによりマゼンダ色の階調が調整される。
【０１１０】
また、表示基板１８側の着色粒子３２Ｍが背面基板２８側へ移動開始する移動開始電圧は−Ｖｍ１であり、表示基板１８側の着色粒子３２Ｍが背面基板２８側へ移動終了する移動終了電圧は−Ｖｍ２である。すなわち、表面電極１６に印加する電圧Ｖを−Ｖｍ２≦Ｖ≦−Ｖｍ１の範囲で調整することによりマゼンダ色の階調が調整される。
【０１１１】
このように、第１実施形態と同様に、着色粒子３２Ｙの閾値電圧は｜Ｖｙ１｜、着色粒子３２Ｃの閾値電圧は｜Ｖｃ１｜、着色粒子３２Ｍの閾値電圧は｜Ｖｍ１｜であり、｜Ｖｙ１｜＜｜Ｖｃ１｜＜｜Ｖｍ１｜となっている。
【０１１２】
次に、上述のように構成された本実施形態に係る画像表示装置１０の駆動制御の一例について、図８、９を参照して説明する。なお、以下では、説明を簡単にするために、背面電極２２をグランド（０Ｖ）とし、表面電極１６に電圧印加するものとして説明する。
【０１１３】
まず、制御部４２の制御により電圧印加部４０が表面電極１６に電圧−Ｖｍ２を印加すると、負に帯電した着色粒子３２Ｍ、３２Ｃ、３２Ｙが背面基板２８側に移動する。これにより、図８（Ａ）に示す状態となり、分散液２４の白色が表示される。
【０１１４】
また、図８（Ａ）に示した状態から、制御部４２の制御により電圧印加部４０が表面電極１６に電圧＋Ｖｃ２を印加することによって、着色粒子３２Ｃ、３２Ｙが表示基板１８側に移動し、図８（Ｂ）に示す状態となり、着色粒子３２Ｃ、３２Ｙの混合色である緑色が表示される。
【０１１５】
ところで、図８（Ａ）に示す状態は、同極性に帯電され、閾値電圧が異なる着色粒子３２Ｙ、３２Ｃ、３２Ｍが背面基板２８側に積層された状態であるが、第１実施形態で説明したのと同様に、実際には、図８（Ａ）に示すように各着色粒子がきれいに積層するとは限らない。例えば、説明を簡単にするために着色粒子３２Ｍ、３２Ｃだけで考えた場合、図１０（Ａ）に示すように、着色粒子３２Ｍ、３２Ｃが混在した状態となる場合がある。そして、この状態で表面電極１６に電圧＋Ｖｃ２を印加した場合、着色粒子３２Ｍの閾値電圧の絶対値は着色粒子３２Ｃよりも高いため、背面基板２８側の下層の着色粒子３２Ｍは表示基板１８側へ移動しないものの、同図（Ｂ）に示すように、着色粒子３２Ｃが移動するのに伴って上層の着色粒子３２Ｍも表示基板１８側へ移動してしまう場合がある。これにより、混色が発生してしまう場合がある。
【０１１６】
そこで、本実施形態では、図８（Ａ）に示した状態から図８（Ｂ）に示すように緑色を表示させる場合には、まず、制御部４２は、第１実施形態で説明したのと同様に、図５（Ａ）に示すような交番電圧であるが電圧値が±Ｖｃ２である交番電圧を印加してから、表面電極１６に表示駆動電圧として電圧＋Ｖｃ２を印加する。この場合、交番電圧が印加されている間は、着色粒子３２Ｙは往復運動するが、着色粒子３２Ｃよりも閾値電圧が高い上層の着色粒子３２Ｍは基本的に電界の作用によっては動かない。このため、上層の着色粒子３２Ｍは、着色粒子３２Ｃの往復運動に伴って徐々に下層に配置される。このように、表示駆動電圧を印加する前に交番電圧を印加することにより、図１０（Ａ）〜（Ｅ）に示すように、着色粒子３２Ｃ、３２Ｍがきれいに積層される。e
また、第１実施形態と同様に、図５（Ｂ）に示すような交番電圧であるが電圧値が±Ｖｃ２である交番電圧を印加してもよいし、図５（Ｃ）に示すような交番電圧であるが電圧値が±Ｖｃ２である交番電圧を印加するようにしてもよい。
【０１１７】
一方、図８（Ａ）に示した状態から、制御部４２の制御により電圧印加部４０が表面電極１６に電圧＋Ｖｙ２を印加すると、負に帯電した着色粒子３２Ｙが表示基板１８側に移動する。これにより、図８（Ｃ）に示す状態となり、着色粒子３２Ｙのイエロー色が表示される。
【０１１８】
なお、この場合も、着色粒子３２Ｙ、３２Ｃの混色を防ぐために、図５（Ａ）〜（Ｃ）に示したような交番電圧を印加してから、表示駆動電圧としての電圧−Ｖｙ２を印加する。
【０１１９】
また、着色粒子３２Ｃと着色粒子３２Ｍとの関係についても上記と同様であるため、図５（Ａ）〜（Ｃ）に示すような交番電圧を印加する前に、着色粒子３２Ｙよりも閾値電圧が高い着色粒子３２Ｃを往復運動させるための交番電圧、すなわち、表面電極１６に電圧＋Ｖｃ２と電圧−Ｖｃ２を交互に印加する交番電圧を印加するようにしてもよい。なお、この交番電圧は、電圧値が異なるだけで図５（Ａ）〜（Ｃ）に示したのと同様の交番電圧とされる。
【０１２０】
これにより、まず背面基板２８上に着色粒子３２Ｍ、着色粒子３２Ｃの順に混色なく積層された後、着色粒子３２Ｃ、着色粒子３２Ｙの順に混色なく積層される。このように、背面基板２８側に２種類以上の着色粒子が残る場合に、閾値電圧が最も高い着色粒子３２Ｍの閾値電圧を除いて閾値電圧が高い順に交番電圧を印加することにより、各着色粒子が混色なく積層される。
【０１２１】
また、図８（Ｂ）に示した状態から、制御部４２の制御により電圧印加部４０が表面電極１６に電圧−Ｖｙ２を印加することによって、着色粒子３２Ｙが背面基板２８側に移動し、図８（Ｄ）に示す状態となり、着色粒子３２Ｃのシアン色が表示される。
【０１２２】
なお、図８（Ｂ）に示した状態も、同極性に帯電され、閾値電圧が異なる着色粒子３２Ｃ、３２Ｙが表示基板１８側に積層された状態であるため、この状態から着色粒子３２Ｙだけを背面基板２８側に移動させて図８（Ｄ）に示す状態とする場合にも、表示駆動電圧としての電圧−Ｖｙ２を印加する前に、前述したような交番電圧を印加する。なお、この場合の交番電圧の最後のパルス電圧は、着色粒子３２Ｙを表示基板１８から見て上層に配置させるために、図５の場合とは逆に電圧＋Ｖｙ２を印加する。
【０１２３】
また、制御部４２の制御により電圧印加部４０が表面電極１６に電圧＋Ｖｍ２を印加すると、負に帯電した着色粒子３２Ｍ、３２Ｃ、３２Ｙが表示基板１８側に移動する。これにより、図９（Ａ）に示す状態となり、着色粒子３２Ｍ、３２Ｃ、３２Ｍの混合色である黒色が表示される。
【０１２４】
また、図９（Ａ）に示した状態から、制御部４２の制御により電圧印加部４０が表面電極１６に電圧−Ｖｃ２を印加することによって、着色粒子３２Ｃ、３２Ｙが背面基板２８側に移動し、図９（Ｂ）に示す状態となり、着色粒子３２Ｍのマゼンダ色が表示される。
【０１２５】
なお、図９（Ａ）に示した状態も、同極性に帯電され、閾値電圧が異なる着色粒子３２Ｍ、３２Ｃ、３２Ｙが表示基板１８側に積層された状態であるため、この状態から着色粒子３２Ｃ、３２Ｙだけを背面基板２８側に移動させて図９（Ｂ）に示す状態とする場合にも、表示駆動電圧としての電圧−Ｖｃ２を印加する前に、図５（Ａ）に示すような交番電圧であるが電圧値が±Ｖｃ２である交番電圧を印加してから、表面電極１６に表示駆動電圧として電圧＋Ｖｃ２を印加する。なお、この場合の交番電圧の最後のパルス電圧は、着色粒子３２Ｃを表示基板１８から見て着色粒子３２Ｍよりも上層に配置させるために、図５の場合とは逆に電圧＋Ｖｃ２を印加する。
【０１２６】
一方、図９（Ａ）に示した状態から、制御部４２の制御により電圧印加部４０が表面電極１６に電圧＋Ｖｙ２を印加すると、負に帯電した着色粒子３２Ｙが背面基板２８側に移動する。これにより、図９（Ｃ）に示す状態となり、着色粒子３２Ｍ、３２Ｃの混合色である青色が表示される。
【０１２７】
なお、図９（Ａ）に示した状態も、同極性に帯電され、閾値電圧が異なる着色粒子３２Ｃ、３２Ｙが表示基板１８側に積層された状態であるため、この状態から着色粒子３２Ｙだけを背面基板２８側に移動させて図９（Ｃ）に示す状態とする場合にも、表示駆動電圧としての電圧＋Ｖｙ２を印加する前に、前述したような交番電圧を印加する。なお、この場合の交番電圧の最後のパルス電圧は、着色粒子３２Ｙを表示基板１８から見て着色粒子３２Ｃよりも上層に配置させるために、図５の場合とは逆に電圧−Ｖｙ２を印加する。
【０１２８】
また、図９（Ｂ）に示す状態から、制御部４２の制御により電圧印加部４０が表面電極１６に電圧＋Ｖｙ２を印加することによって、着色粒子３２Ｙが表示基板１８側に移動し、図９（Ｄ）に示す状態となり、着色粒子３２Ｍ、３２Ｙの混合色である赤色が表示される。
【０１２９】
なお、図９（Ｂ）に示した状態も、同極性に帯電され、閾値電圧が異なる着色粒子３２Ｃ、３２Ｙが背面基板２８側に積層された状態であるため、この状態から着色粒子３２Ｙだけを表示基板１８側に移動させて図９（Ｄ）に示す状態とする場合にも、表示駆動電圧としての電圧＋Ｖｙ２を印加する前に、前述した図５に示したような交番電圧を印加する。
【０１３０】
なお、本実施形態では、画像表示媒体１２が白色の分散液２４を備えた構成とし、この白色の分散液２４により白色を表示する場合について説明したが、これに限らず、例えば図１１に示すように、分散液２４を無色とし、表示基板１８と背面基板２８との間に、各着色粒子の粒子径よりも大きい粒子径を有する白色の複数の大径粒子３２Ｗが基板面の方向に添って配列されて接続された構成の部材を表示基板１８と背面基板２８との間に固定的に設けるようにしてもよい。この場合、大径粒子の粒子径は、隣接する大径粒子３２Ｗによって形成された間隙、すなわち孔により各着色粒子が通過可能な粒子径とする。このような構成とした場合は、各着色粒子を背面基板２８側に移動させることにより、大径粒子３２Ｗによって白色が表示される。
【０１３１】
なお、上記各実施形態では、イエロー色の着色粒子３２Ｙ、マゼンダ色の着色粒子３２Ｍ、シアン色の着色粒子３２Ｃを用いた場合について説明したが、色の組み合わせについては、これに限られるものではなく、他の色の着色粒子、例えば、補色関係となるような色の着色粒子を用いるようにしてもよい。例えば、補色関係にある緑とマゼンダの着色粒子を用いた場合、緑とマゼンダの着色粒子を表示基板１８側へ移動させることにより、緑とマゼンダの混合色である黒が表示される。同様に、赤とシアン、青とイエローの組み合わせの着色粒子を含むようにしてもよい。
【図面の簡単な説明】
【０１３２】
【図１】（Ａ）は本発明の第１実施形態に係る画像表示装置を示す概略構成図、（Ｂ）は各着色粒子を移動させるために必要な印加電圧について説明するための図である。
【図２】本発明の第１実施形態に係る画像表示装置の駆動制御を説明するための図であり、各色表示への状態遷移図である。
【図３】本発明の第１実施形態に係る画像表示装置の駆動制御を説明するための図であり、各色表示への状態遷移図である。
【図４】混色について説明するための図である。
【図５】表示駆動電圧の印加前に印加する交番電圧の一例を示す波形図である。
【図６】第１実施形態に係る画像表示媒体の変形例を示す図である。
【図７】（Ａ）は本発明の第２実施形態に係る画像表示装置を示す概略構成図、（Ｂ）は各着色粒子を移動させるために必要な印加電圧について説明するための図である。
【図８】本発明の第２実施形態に係る画像表示装置の駆動制御を説明するための図であり、各色表示への状態遷移図である。
【図９】本発明の第２実施形態に係る画像表示装置の駆動制御を説明するための図であり、各色表示への状態遷移図である。
【図１０】混色について説明するための図である。
【図１１】第１実施形態に係る画像表示媒体の変形例を示す図である。
【符号の説明】
【０１３３】
１０、５０    画像表示装置
１２、５２    画像表示媒体
１４   支持基板
１６   表面電極
１７   表面層
１８   表示基板
２０   表面層
２２   背面電極
２４   分散液
２６   支持基板
２８   背面基板
３２Ｃ、３２Ｍ、３２Ｙ      着色粒子
４０   電圧印加部
４２   制御部
４４   画像記憶部
【図１】
2010181477.tif 000003
【図２】
2010181477.tif 000004
【図３】
2010181477.tif 000005
【図４】
2010181477.tif 000006
【図５】
2010181477.tif 000007
【図６】
2010181477.tif 000008
【図７】
2010181477.tif 000009
【図８】
2010181477.tif 000010
【図９】
2010181477.tif 000011
【図１０】
2010181477.tif 000012
【図１１】
2010181477.tif 000013